(57)【要約】      （修正有）【課題】ペニスの咬み込みを防止するパンツを提供する。【解決手段】股咬みの下方４方向から成る縫合点の前面部１０ｍｍ程度上方の位置からファスナーの縫製を開始する。【選択図】図２
0003175130.tif 000002
【実用新案登録請求の範囲】
【請求項１】
ペニス、ノン咬むパンツ、ペニス、ノン咬むズボンの考案開発
チヤック、ジッパ−、ファスナ−等の取り付け位置、縫製開始位置の変更、改良改善、変革
【考案の詳細な説明】
【技術分野】
【０００１】縫製工場等に於ける縫製技術並びにファスナ−等の製造工場に於ける製造技術の分野に属するものと思考する
【背景技術】
【０００２】縫製技術並びにファスナ−の製造技術
【先行技術文献】
【特許文献】
【０００３】
【特許文献１】
【特許文献２】
【非特許文献】
【０００４】
【非特許文献１】
【非特許文献２】
【考案の概要】
現在一般市場、多分世界市場に於いても、使用されているパンツ、ズボンはファスナ−等取り付け位置、つまり開口部が、是から新規に開発考案する物よりも、股下からの縫い始が、３０ミリ〜４０ミリ高い位置から縫い始められて居る為、ファスナ−等を開けて放排を行う際には、ペニスが開口部より３０ミリ〜４０ミリ下方に収納されているので之を外に引き出して、小用を足すには、一端上方に引き上げ、更に下方に向けて押し付けながら施しなければ為らず、是が為、放排尿終了後は、少量ながら常態的にペニス内部に残尿をたし。是は必然的にブリ−フを濡らし。大の大人たる紳士が、アンモニア臭を漂わせ、夏には淫菌、タムシ其の他の皮膚疾患の因と成っている。のみならず。ペニスは放排尿の度に軽度とは謂え、ファスナ−等に押し付けられ、痛みに耐えなければ成らず。状況が急迫た場合、ペニスを慌てゝ収納する為、ファスナ−等に咬み込ませ、男性ならではの、不都な絶叫を発する程の激痛に見舞わられ、涙を流した者が数知れず有ったと思はれる。しかし人間賢い様で喉元過ぎれば熱さを忘れ、何十年来、是を解消する為の考察に至る者は現れかった。よって、小生が是を考案開発し。現在を生き、未来に生きる人々の救難に寄与いしたいと思考するに至った。
【考案が解決しようとする課題】男性が行う放排尿の度毎の残尿による。ブリ−フの湿潤に伴うアンモニア臭の解消と、夏場に於ける淫菌、タムシその他の皮膚疾患の改善解消と、放排尿後のペニス収納時に起生するファスナ−等へのペニスの咬み込みに拠る。激痛からの解放解消による救難である。
【課題を解決するための手段】一般市場、一般社会に於いて使用、販売されているパンツ、ズボン等のファスナ−等の取り付け位置を現存する物よりも、３０ミリ〜４０ミリ下方、即ち股下に近い所から縫い始め開口部を広く、長くし、ファスナ−等も是に見合った３０ミリ〜４０ミリ長い物を使用する事に拠り解決する。
【考案の効果】淫菌、タムシ其の他の皮膚疾患に因る苦痛からの改善、解放、アンモニア臭の解消、ファスナ−等への咬み込みに拠る激痛からの解放、解消等々が得られ、尚且つ、是を実現する為に縫製業、ファスナ−等の製造業、アパレル業界、運輸、物流業界等々への波及効果が期待出来る。
【図面の簡単な説明】別紙図面により説明する。
【図１】
【図２】
【考案を実施するための形態】
〔図１〕〔図２〕によって展開し説明する。
【実施例】現行に於ける実施例を見た事は無い。
【産業上の利用可能性】    縫製業、ファスナ−等の製造業、アパレル業界、販売業、物流産業其の他の関係業種等々に幅広く世界的規模をもって反映されるものと思考出来る。、
【図１】
0003175130.tif 000003
【図２】
0003175130.tif 000004
【手続補正書】
【提出日】平成23年2月16日(2011.2.16)
【手続補正１】
【補正対象書類名】実用新案登録請求の範囲
【補正対象項目名】全文
【補正方法】変更
【補正の内容】
【実用新案登録請求の範囲】
【請求項１】
ペニス咬み込み防止衛生パンツ和式呼称名ペニス咬み込み防止衛生ズボン
上記に於いて請求したペニス咬み込み防止衛生パンツ和式呼称名ペニス咬み込み防止衛生ズボンは現在の一般社会において使用されている従来型のパンツやズボンの前面開口部分を３０ミリ〜４０ミリ程度下方に下げた位置から縫製する事により開口部分を長く広く確保し是によりペニスの咬み込みを防止し衛生的には清潔清浄を確得諸種の病因を排除する事が可能となる
（請求項１）に請求した新案を具現するには従来型のパンツやズボンに仕様されているファスナ−等の長さを其々の案件毎に３０ミリ〜４０ミリ長い物を縫着し其の取り付け位置つまり開口部と縫着開始位置はパンツやズボンの股咬みの下４方向から成る縫合点の前面部１０ミリ程度上方の位置から開始する必要がある指令書により指示された具体的構成形状構造については［図Ｉ］［図２］に示した通りであり組み合わせについては特定出来ない敢えて特定せよと指令されるなら是から新案により製造される全ての組み合わせを網羅する事になる
【手続補正２】
【補正対象書類名】明細書
【補正対象項目名】全文
【補正方法】変更
【補正の内容】
【考案の詳細な説明】
【技術分野】
【０００１】縫製工場等に於ける縫製技術並びにファスナ−等の製造工場に於ける製造技術の分野に属するものと思考する
【背景技術】
【０００２】縫製技術並びにファスナ−等の製造技術
【先行技術文献】
【特許文献】
【０００３】
【特許文献１】
【特許文献２】
【非特許文献】
【０００４】
【非特許文献Ｉ】
【非特許文献２】
【考案の概要】
現在一般市場、多分世界市場に於いても、使用されているパンツ、ズボンはファすナ−等の取り付け位置、つまり開口部が、是から新規に考案開発する物よりも、股下からの縫い始が、３０ミリ〜４０ミリ高い位置から縫い始められて居る為、ファスナ−等を開けて放排尿を行う際には、ペニスが開口部より３０ミリ〜４０ミリ下方に収納されているのでペニスを外部に引き出して、小用を足すには、一端上方に引き上げ、更に下方に向けて押し付けながら実施しなければ為らず、是が為、放排尿終了後は、少量ながら常態的にペニス内部に残尿を来たし是は必然的にブリ−フを濡らし大の大人たる紳士が、アンモニア臭を漂わせ夏場には淫菌、タムシ其の他の皮膚疾患の因と成っているのみならずペニスは放排尿の度に軽度とは謂え、ファスナ−等に押し付けられ、痛みに耐えなければ成らず状況が急迫した場合、ペニスを慌てゝ収納する為、ファスナ−等に咬み込ませ、男性ならではの不都合な絶叫を発する程の激痛に見舞わられ、涙を流した者が数知れず有ったと思はれるが、しかし、人間賢い様で喉元過ぎれば熱さを忘れ、何十年来、是を解消する為の考察に至る者は現れかったよって、小生が是を考案開発し現在を生き、未来に生きる人々の救難に寄与いたしたいと思考するに至った
【考案が解決しようとする課題】男性が行う放排尿の度毎の残尿によるブリ−フの湿潤に伴うアンモニア臭の解消と、夏場に於ける淫菌、タムシその他の皮膚疾患の改善解消と、放排尿後のペニス収納時に起生するファスナ−等へのペニスの咬み込みに拠る激痛からの解放解消による救難である
【課題を解決するための手段】一般市場、一般社会に於いて使用、販売されているパンツ、ズボン等のファスナ−等の取り付け位置を現存する物よりも、３０ミリ〜４０ミリ下方、即ち股下に近い所から縫い始め開口部を広く、長くし、ファスナ−等も、是に見合った３０ミリ〜４０ミリ長い物を使用する事に拠り解決する
【考案の効果】淫菌、タムシ其の他の皮膚疾患に因る苦痛からの、解放、アンモニア臭の解消、ファスナ−等への咬み込みに拠る激痛からの解放、解消等々が得られ、尚且つ、是を実現する為に縫製業、ファスナ−等の製造業、アパレル業界、運輸、物流業界等々への産業振興等の波及効果が期待出来る
【図面の簡単な説明】
【図１】は従来型の構造図を表記し
【図２】には新規考案型の構造図を表記した
【考案を実施するための形態】
［図１］
［図２］
【実施例】現在のところ其の例を見た事は無い
【産業上の利用可能性】アパレル業界、ファスナ−等の製造業界、被服製造業界、流通運輸業界等々の産業上の広い分野に於いて活用され、世界的規模に展開されると思考される
【手続補正３】
【補正対象書類名】図面
【補正対象項目名】全図
【補正方法】変更
【補正の内容】
【図１】
0003175130.tif 000005
【図２】
0003175130.tif 000006
【手続補正書】
【提出日】平成23年5月13日(2011.5.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ペニス咬み込み防止衛生パンツ、別名健康パンツ
新案のズボンは現在の一般市場に於いて生産販売されている従来型の物を原型に前面開口部を従来型の物より股下方向に３０ミリ〜４０ミリ長く広くする事で衛生的で且つ機能面にも優れ健康を確保する物
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】縫製工場等に於ける縫製技術並びにファスナ−等の製造工場に於ける製造技術の分野に属するものと思考する
【背景技術】
【０００２】縫製技術並びにファスナ−等の製造技術
【先行技術文献】
【０００３】
【特許文献１】
【特許文献２】
【非特許文献】
【０００４】
【非特許文献Ｉ】
【非特許文献２】
【考案の概要】
現在一般市場に於いて使用されているパンツ等はファスナ−等の取り付け位置、つまり開口部が、是から新規に考案開発する物よりも、股下からの縫い始が、３０ミリ〜４０ミリ高い位置から縫い始められて居る為、ファスナ−等を開けて放排尿を行う際には、ペニスが開口部より３０ミリ〜４０ミリ下方に収納されているのでペニスを外部に引き出して、小用を足すには、一端上方に引き上げ、しかる後に更に下方に向けて押し付けながら実施しなければ為らず、是が為、放排尿終了後は、少量ながら常態的にペニス内部に残尿を来たし是は必然的にブリ−フを濡らし大の大人たる紳士が、アンモニア臭を漂わせ夏場には淫菌、タムシ其の他の皮膚疾患の因と成っているのみならずペニスは放排尿の度に軽度とは謂え、ファスナ−等に押し付けられ、痛みに耐えなければ成らず状況が急迫した場合、ペニスを慌てゝ収納する為、ファスナ−等に咬み込ませ、男性ならではの不都合な絶叫を発する程の激痛に見舞わられ、涙を流した者が数知れず有ったと思はれる、が、しかし、人間賢い様で喉元過ぎれば熱さを忘れるで、何十年来、是を解消する為の考察に至る者は現れかった。よって、小生が是を考案開発し。現在を生き、未来に生きる人々の救難に寄与いたしたいと思考するに至った。
【考案が解決しようとする課題】男性が行う放排尿の度毎の残尿によるブリ−フの湿潤に伴うアンモニア臭の解消と、夏場に於ける淫菌、タムシその他の皮膚疾患の改善解消と、放排尿後のペニス収納時に起生するファスナ−等へのペニスの咬み込みに拠る激痛からの解放解消による救難である。
【課題を解決するための手段】  一般市場、一般社会に於いて使用、販売されているパンツ、ズボン等のファスナ−等の取り付け位置を現存する物よりも、３０ミリ〜４０ミリ下方、即ち股下に近い所から縫い始め開口部を広く、長くし、ファスナ−等も、是に見合った３０ミリ〜４０ミリ長い物を使用する事に拠り解決する
【考案の効果】淫菌、タムシ其の他の皮膚疾患に因る苦痛からの、解放、アンモニア臭の解消、ファスナ−等への咬み込みに拠る激痛からの解放、解消等々が得られ、尚且つ、是を実現する為に縫製業、ファスナ−等の製造業、アパレル業界、運輸、物流業界等々への産業振興等の波及効果が期待出来る
【図面の簡単な説明】
【図１】は従来型の構造図を表記
【図２】には新規考案型の構造図を表記
【考案を実施するための形態】
［図１］一般市場に於いて生産販売されている一般的形態を図示
［図２］考案を実施するための新案に拠る形態
【実施例】現在のところ其の例を見た事は無い
【産業上の利用可能性】アパレル業界、ファスナ−等の製造業界、被服製造業界、流通運輸業界等々の産業上の広い分野に於いて活用され、世界的規模に展開されると思考される
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
ペニス咬み込み防止衛生パンツ
【請求項２】
ペニス咬み込み防止衛生パンツに取り付けるファスナ−等の長さの変更
【手続補正２】
【補正対象書類名】明細書
【補正対象項目名】全文
【補正方法】変更
【補正の内容】
【考案の詳細な説明】
【０００１】ペニス咬み込み防止衛生パンツは前面開口部の縫製位置を３０〜４０ミリ下方から開始する事により状況急迫した際のペニスの咬み込みによる激痛を防止し諸種の病因を排除する事が可能と成る。其の為に既成のパンツ等に使用されているファスナ−等よりも３０ミリ〜４０ミリ長いファスナ−に変更しなければ為らない．
【技術分野】
【０００２】縫製工場等に於ける縫製技術並びにファスナー等の製造工場に於ける製造技術分野
【背景技術】
【０００３】縫製技術並びにファスナ−等の製造技術
【先行技術文献】
【特許文献】
【０００４】
【特許文献Ｉ】
【特許文献２】
【非特許文献Ｉ】
【０００５】
【非特許文献Ｉ】
【非特許文献２】
【考案の概要】
【０００６】現在世界中で使用されているパンツ等の開口部は股下から概ね３０ミリ〜４０ミリ高い位置から縫い始めらていて放排尿を行うさいには開口部下部に収納されているペニスは１端上方に上げられ其の後下方に押し付けながら行う為収納する際には常態的に少量ながらペニス内部に尿が残りブリ−フを濡らし紳士たる大人がアンモニア臭を漂はせ夏場には淫菌タムシ他の皮膚疾患の因に為っている。さらにペニスは放排尿の度毎にファスナ−等による痛みを受け状況急迫した際には慌てペニスを収納する為男性ならではの激痛に苦しむ事となるこれ等の諸問題を解決解消する為の考案である。
【課題を解決するための手段】
【０００７】開口部を既成のパンツのファスナ−等の取り付け位置よりも３０ミリ〜４０ミリ広く長く開口しファスナ−等の長さも３０ミリ〜４０ミリ長い物に変更する。
【考案の効果】
【０００８】淫菌タムシ其の他の皮膚疾患に因る苦痛からの解放、アンモニア臭の解消、ファスナ−等への咬み込みによる激痛からの解放解消、更には縫製業、被服製造業、ファスナ−等の製造業、アパレル業界、運輸物流業界等々への産業振興に波及し。其の効果は世界的規模に展開する物と思はれる。
【図面の簡単な説明】
【０００９】
【図１】既成の形状
【図２】考案による形状  「考案を実施するための形態」
【図３】考案による形態  「実施例」現在の所、其の例を見た事は無い  「産業上の利用可能性」アパレル業界、縫製業界、ファスナ−等の製造業界、被服等の製造業界、運輸物流業界等々の広範な分野に世界的規模で展開すると思はれる。
【手続補正３】
【補正対象書類名】図面
【補正対象項目名】全図
【補正方法】変更
【補正の内容】
【図１】
0003175130.tif 000007
【図２】
0003175130.tif 000008
【図３】
0003175130.tif 000009
【手続補正書】
【提出日】平成23年11月21日(2011.11.21)
【手続補正１】
【補正対象書類名】実用新案登録請求の範囲
【補正対象項目名】全文
【補正方法】変更
【補正の内容】
【実用新案登録請求の範囲】
【請求項１】
ペニス咬み込み防止衛生パンツ
小児  児童用    ショ−トパンツ    セミロングパンツ    ロングパンツ
中高生    用    ショ−ツパンツ    セミロングパンツ    ロングパンツ
大学生成人用    ショ−トパンツ    セミロングパンツ    ロングパンツ
【請求項２】
ペニス咬み込み防止衛生パンツの開閉部に用いるファスナ−等の長さは既成の物より３０ミリ〜４０ミリ程度長い物
ペニス咬み込み防止衛生パンツは既成のパンツに比べ開閉部を３０ミリ〜４０ミリ程度長く広くしなければならないので股咬みの下方４方向から成る縫合点の前面部１０ミリ程度上方の位置から縫製を開始する必要があり此の為ファスナ−等の長さも３０ミリ〜４０ミリ程度長い物を仕用しなければ成らない
【手続補正２】
【補正対象書類名】明細書
【補正対象項目名】全文
【補正方法】変更
【補正の内容】
【考案の詳細な説明】
ペニス咬み込み防止衛生パンツは前面開閉部の縫製位置を３０〜４０ミリ下方から開始する事により状況急迫した際のペニスの咬み込みによる激痛を防止し諸種の病因を排除する事が可能と成る。其の為に既成のパンツ等に使用されているファスナ−等より３０ミリ〜４０ミリ長いファスナ−に変更しなければ為らない．
【技術分野】
【０００１】  縫製工場等に於ける縫製技術並びにフアスナ−等の製造工場に於ける製造技術分野
【背景技術】
【０００２】  縫製技術並びにファスナ−等の製造技術
【先行技術文献】
【特許文献】
【０００３】
【特許文献Ｉ】
【特許文献２】
【非特許文献Ｉ】
【０００４】
【非特許文献Ｉ】
【非特許文献２】
【考案の概要】
現在世界中で使用されているパンツ等の開口部は股下から概ね３０ミリ〜４０ミリ高い位置から縫い始めらていて放排尿を行う際には、開口部下部に収納されているペニスは、１端上方に引き上げ、其の後下方に押し付けながら行う為、収納する際には、常態的に少量ながらペニス内部に尿が残り。其の為ブリ−フが濡れ紳士たる大の大人がアンモニア臭を漂はせ。夏場には淫菌タムシ他の皮膚疾患の因に為っている。さらにペニスは放排尿の度毎に、ファスナ−等による痛みを受け、状況急迫した際には、慌てペニスを収納する為、男性ならではの激痛に苦しむ事となる。これ等の諸問題を解決解消する為の考案である。
【考案が解決しようとする課題】男性が行う放排尿の度毎の残尿によるブリ−フの湿潤に伴うアンモニア臭の解消、夏場に於ける淫菌タムシ其の他の皮膚疾患の解消、排尿後の収納時に起生するファスナ−等への咬み込みによる激痛からの解放解消。
【課題を解決するための手段】考案のパンツ等に取り付けるファスナ−等の位置を既成の物よりも３０ミリ〜４０ミ下方、股咬み４縫合点の約１０ミリ程度上方の位置から縫製する事により開閉部が広く長くなる課題を解決する為ファスナ−等を３０ミリ〜４０ミリ程度長い物を使用しなければ成らない
【考案の効果】淫菌タムシ其の他の皮膚疾患に因る苦痛からの解放アンモニア臭の解消ファスナ−等への咬み込みによる激痛からの解放、縫製業、ファスナ−等の製造業、アパレル業界、運輸物流業界等々産業振興に役立ち世界的規模に展開する
【図面の簡単な説明】
【図Ｉ】  既成の形態
【図２】  考案の形態
【考案を実施するための形態】
【図３】
考案による形態
【実施例】現在の処其の例を見た事は無い
【産業上の利用可能性】アパレル業界、ファスナ−等の製造業、運輸物流業界等々の広範な分野に世界的規模で展開すると思はれる。
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
股咬みの下方４方向から成る縫合点の前面部１０ミリ程度上方の位置から、ファスナーの縫製を開始した事を特徴とするペニス咬み込み防止衛生パンツ